(57)【特許請求の範囲】
【請求項１】
液状化粧料を収容する有底筒状の容器本体、容器本体の上端開口部を密閉するキャップ、及びキャップに取り付けられた塗布具を有する化粧料塗布容器であって、塗布具は、容器本体に挿入可能に形成された塗布部と該塗布部に連設した軸部を有し、キャップ内に、塗布具の軸部を着脱自在に固定する係合機構が設けられ、該係合機構として、塗布具の軸部に形成された凹部と、軸部の長手方向と交わる方向に移動することにより前記凹部に対して嵌合又は離脱する軸部固定部材と、軸部固定部材を軸部の長手方向と交わる方向に押圧する押圧部を有し、押圧部の一端がキャップの外表面に押圧ボタンとして形成されている化粧料塗布容器。
【請求項２】
液状化粧料を収容する有底筒状の容器本体、容器本体の上端開口部を密閉するキャップ、及びキャップに取り付けられた塗布具を有する化粧料塗布容器であって、塗布具は、容器本体に挿入可能に形成された塗布部と該塗布部に連設した軸部を有し、キャップ内に、塗布具の軸部を着脱自在に固定する係合機構が設けられ、該係合機構として、塗布具の軸部に形成されたリブと、そのリブが所定方向の場合に該リブを通過させる切欠が形成された仕切り板と、該リブに係合する凹部により軸部を着脱自在に保持する保持部材を有する化粧料塗布容器。
【発明の詳細な説明】
【技術分野】
【０００１】
本発明は、塗布具を備えた液状化粧料の容器に関する。
【背景技術】
【０００２】
液状口紅、マスカラ、マニキュア等の液状化粧料の塗布容器として、液状化粧料を収容する有底筒状の容器本体とキャップからなり、キャップに、容器本体に挿入される塗布具が取り付けられたものが広く使用されている。この塗布容器では、キャップを閉めた状態で容器本体内に塗布具の一端が挿入され、キャップを容器本体から取り外した状態でキャップが塗布具の把持部として使用され、該塗布具の一端に付着している化粧料が塗布される。
【０００３】
このような化粧料塗布容器を、収納時には小さくコンパクトにし、使用時には十分な長さにして使い勝手が向上するように、キャップの開閉動作により、把持部を含めた塗布具の全長が伸縮するようにしたものが提案されている（特許文献１）。
【先行技術文献】
【特許文献】
【０００４】
【特許文献１】特開2010-88516号公報
【発明の概要】
【発明が解決しようとする課題】
【０００５】
しかしながら、従来、上述の化粧料塗布容器を用いて液状化粧料を繰り返し塗布することにより容器本体に挿入した塗布具には、もはや液状化粧料が付着しなくなった場合でも、容器本体内には、当初の液状化粧料の約２０質量％程度が使い切れずに残存しているという問題がある。この使い切れない化粧料残量の問題は、低粘度の化粧料に比して高粘度の化粧料で起こりやすく、さらに化粧料が降伏値を有する場合には、容器本体を傾けただけでは化粧料が容器本体内で殆ど流動しないため一層顕著となる。そして、化粧料残存の問題は、塗布具の伸縮により使い勝手を向上させたもの（特許文献１）によっても改善することができない。
【０００６】
これに対し、本発明は、キャップに取り付けられた塗布具を容器本体に挿入し、容器本体に収容されている液状化粧料を付着させる液状化粧料塗布容器において、容器本体内で使い切ることのできない残存化粧料を低減させることを目的とする。
【課題を解決するための手段】
【０００７】
本発明者は、キャップに対して塗布具を着脱自在にすると、塗布具がキャップに取り付けられている状態では使い切ることができない高粘度の液状化粧料あるいは降伏値を有する液状化粧料でも、キャップから取り外した塗布具を容器本体内に深く挿入することにより付着させることができ、これにより、容器本体内で使い切れずに残存する化粧料を低減できることを想到した。
【０００８】
即ち、本発明は、液状化粧料を収容する有底筒状の容器本体、容器本体の上端開口部を密閉するキャップ、及びキャップに取り付けられた塗布具を有する化粧料塗布容器であって、塗布具は、容器本体に挿入可能に形成された塗布部と該塗布部に連設した軸部を有し、キャップ内に、塗布具の軸部を着脱自在に固定する係合機構が設けられている化粧料塗布容器を提供する。
【発明の効果】
【０００９】
本発明によれば、塗布具がキャップに着脱自在に固定されているので、容器本体内の化粧料の残量が少なくなり、塗布具に化粧料が付着しにくくなった場合には、塗布具をキャップから取り外すし、その取り外した塗布具の先端部の塗布部を容器本体内に深く挿入することができる。したがって、容器本体の底部の隅に残存している化粧料を塗布部で掻き取りあるいは塗布部に付着させることができる。よって、本発明の化粧料塗布容器によれば、化粧料が降伏値を有したり、高粘度であったりすることにより、流動性が極めて低いものであっても、容器本体内で使い切れずに残存する化粧料を低減させることができる。
【図面の簡単な説明】
【００１０】
【図１Ａ】図１Ａは、実施例の化粧料塗布容器１Ａにおいてキャップを閉じた状態の斜視図である。
【図１Ｂ】図１Ｂは、図１Ａの化粧料塗布用器１Ａにおいてキャップを外した状態の斜視図である。
【図２Ａ】図２Ａは、化粧料塗布容器１Ａのキャップにおいて、塗布具が固定されている状態の(a)切欠図及び(b)Ｘ−Ｘ断面図である。
【図２Ｂ】図２Ｂは、化粧料塗布用器１Ａのキャップにおいて、塗布具の固定が解除されている状態の(a)切欠図及び(b)Ｘ−Ｘ断面図である。
【図２Ｃ】図２Ｃは、化粧料塗布用器１Ａのキャップから塗布具を引き抜いた状態の切欠図である。
【図３】図３は、キャップから引き抜いた塗布具の使用状態を示す斜視図である。
【図４】図４は、塗布具の軸部の変形態様の斜視図である。
【図５Ａ】図５Ａは、実施例の化粧料塗布容器１Ｂにおいてキャップを閉じた状態の斜視図である。
【図５Ｂ】図５Ｂは、図４Ａの化粧料塗布用器１Ｂにおいてキャップを外した状態の斜視図である。
【図６Ａ】図６Ａは、化粧料塗布容器１Ｂのキャップにおいて、塗布具が固定されている状態の(a)切欠図及び(b)Ｘ−Ｘ断面図である。
【図６Ｂ】図６Ｂは、化粧料塗布用器１Ｂのキャップにおいて、塗布具の固定が解除されている状態の(a)切欠図及び(b)Ｘ−Ｘ断面図である。
【図６Ｃ】図６Ｃは、化粧料塗布用器１Ｂのキャップから塗布具を引き抜いた状態の切欠図である。
【図７】図７は、キャップから引き抜いた塗布具の使用状態を示す斜視図である。
【図８】図８は、塗布部の変形態様の斜視図である。
【発明を実施するための形態】
【００１１】
以下、図面を参照しつつ本発明を詳細に説明する。なお、各図中、同一符号は同一又は同等の構成要素を表している。
【００１２】
図１Ａは、本発明の一実施例の化粧料塗布容器１Ａの斜視図であり、図１Ｂは、この化粧料塗布容器１Ａにおいて容器本体２からキャップ１０を外した状態の斜視図である。
【００１３】
この化粧料塗布容器１Ａは、液状口紅、マスカラ、マニキュア等の液状化粧料、特に、降伏値の測定器の押し具（先端径5mm）を2cm/minの速度で当てた場合の降伏値が1〜100gfの範囲の流動しにくい化粧料、あるいは高粘度の液状化粧料で、容器本体内の隅に残存しやすいものの容器として好適に使用される。
【００１４】
化粧料塗布容器１Ａは、有底筒状で上端部に開口部を有する容器本体２と、容器本体２の上端開口部に冠着されたしごき部３と、容器本体２の上端開口部を密閉するキャップ１０とを有し、キャップ１０には塗布具２０が着脱自在に固定されている。
【００１５】
容器本体２は、内部の化粧料残量を透視出来る程度に透明な樹脂から形成されている。また容器本体２は、底面内側の形状が、周縁部に対して中央部がもちあがった湾曲形状であることが好ましい。これにより、容器本体２内で使い切れずに残存する化粧料を低減させることができる。
【００１６】
しごき部３は、弾性材料から形成され、容器本体の上端部に取り付けられた状態で、上端面から容器本体内部に向かって縮径するロート状に成形されている。容器本体内２に挿入された塗布具２０から余分な液状化粧料をしごき取り、塗布具２０の先端の塗布部２３に適量の液状化粧料を付着させるために設けられている。
【００１７】
キャップ１０は、図２Ａ、図２Ｂ、図２Ｃに示すように、キャップ１０の上端部及び胴部を形成する有底筒状のキャップ筒状体１１を有し、キャップ筒状体１１内には、塗布具２０の軸部２１を着脱自在に固定する係合機構が設けられている。
【００１８】
係合機構としては、より具体的には、塗布具２０の軸部２１に設けられた凹部２２（図２Ｃ）と、凹部２２が形成されている位置で軸部２１を囲むように設けられた、例えば楕円環形状の軸部固定部材１２と、軸部２１の長手方向と交わる方向に軸部固定部材１２を押圧する押圧部１３が設けられており、押圧部１３の一端は、キャップ１０の外表面において、押圧部１３を矢印ａ方向に押し込む押圧ボタン１４となっている。キャップ１０の内壁には、軸部固定部材１２の矢印ａ方向の動きを案内する溝が形成されており、押圧ボタン１４が矢印ａ方向に押圧されると、軸部固定部材１２はキャップ１０の内部を矢印ａ方向に移動する。また、軸部固定部材１２は弾性材料から形成され、押圧時以外は、押圧前の状態に復帰させる構造を有し、例えば、押し込まれた押圧ボタン１４を矢印ａと反対方向に付勢する板状バネ構造１５を有している。
【００１９】
この係合機構においては、図２Ａに示すように、押圧ボタン１４が押し込まれていない状態では、軸部固定部材１２が押圧ボタン１４と反対側の嵌合部１２ａで軸部２１の凹部２２と嵌合し、軸部２１をキャップ１０に固定するが、図２Ｂに示すように、押圧ボタン１４が押し込まれ、軸部固定部材１２が押し込み方向に動くと、軸部固定部材１２の嵌合部１２ａは、軸部２１の凹部２２から離れる。また、押圧ボタン１４の押し込みにより板状バネ構造１５が軸部固定部材１２を押圧ボタン１４の押し込み方向と反対方向に付勢するので、押圧ボタン１４の押し込みを解除すると、図２Ａに示すように、再度軸部２１の凹部２２と軸部固定部材１２の嵌合部１２ａが嵌合する。
【００２０】
そこで、図２Ｃに示すように、押圧ボタン１４を押し込みつつ塗布具２０を下方に引っ張ると、塗布具２０をキャップ１０から取り外すことができる。
【００２１】
一方、塗布具２０は、軸部２１の一端に塗布部２３が連設されている。塗布部２３は、しごき部３及び容器本体２に挿入可能に形成されている。塗布部２３の具体的な形状は、この化粧料塗布用器１Ａが、液状口紅の塗布に使用されるのか、マスカラの塗布に使用されるのかといった用途や、液状化粧料の物性などに応じて適宜定められ、例えば、図示したように扁平な匙形状とすることができ、その表面はフロッキー加工面とすることができる。塗布部２３の材料は、弾性変形可能なものが好ましい。
【００２２】
また、塗布具２０には、キャップ１０を閉じた状態でしごき部３のすぐ上に位置する部分に大径部２４が設けられている。大径部２４は、しごき部３のロート状の形状に対応して塗布部２３側が縮径しており、しごき部３上に液状化粧料が溜まった場合に、それを容器本体２内に押し込めるようにしている。
【００２３】
なお、容器本体２内に十分な液状化粧料Ａが収容されている状態では、塗布具２０の先端部の塗布部２３が、容器本体２の底部に接触することなく、底部近傍に位置するように、軸部２１の長さが調整されている。これにより、塗布具２０を容器本体２に挿入し、キャップ１０で容器本体２を密閉する化粧料塗布用器の保管時において、塗布部２３が容器底部に接触して撓むなどの無用な変形を防止することができる。
【００２４】
また、キャップ１０内には環状の仕切板１６が設けられている。この仕切板１６には、一旦取り外した塗布具２０を再度キャップ１０に取り付けられるように、軸部２１の取付方向を規制する例えばＤ型の穴１７が形成されている。
【００２５】
化粧料塗布用器１Ａは次のように使用される。まず、容器本体２内に十分な液状化粧料が収容されている状態で塗布具２０を使用していると、容器本体２内の液状化粧料は次第に減少し、液状化粧料が容器本体２の底部隅部に残り、塗布部２３に液状化粧料を付着させることが困難となる。そこで、図２Ｃに示したように、押圧ボタン１４を押し込み、塗布具２０をキャップ１０から取り外す。これにより、図３に示すように、塗布具２０の先端の塗布部２３を容器本体２の内部底面に到達させ、更には塗布部２３を屈曲させるに至り、容器本体２の底部に残存していた液状化粧料Ａの殆どを塗布部２３で掻き取ったり塗布部２３に付着させることが可能となる。したがって、この化粧料塗布用器１Ａによれば、使い切れない化粧料残量を顕著に低減させることができる。
【００２６】
本発明は、種々の態様をとることができる。
図４は、上述の化粧料塗布用器１Ａの塗布具２０の軸部２１において、凹部２２を軸部２１の長手方向に複数形成したものである。これにより、凹部２２を軸部固定部材１２に嵌合させて塗布具２０をキャップ１０に取り付けた状態において、キャップ１０から突出する塗布具２０の長さを多段階で調整することができる。
【００２７】
図５Ａは、塗布具２０の軸部２１を着脱自在にキャップ１０に固定する係合機構として、塗布具２０の軸部２１の表面に形成されたリブ２５と、リブ２５に係合して軸部２１を着脱自在に保持する保持部材３０と、軸部２１のキャップ１０への抜き差し方向を規制する仕切板１６（図６Ａ、図６Ｂ）を設けた化粧料塗布用器１Ｂであって、キャップ１０が閉じている状態の斜視図であり、図５Ｂはその化粧料塗布用器１Ｂのキャップ１０を容器本体２から外した状態の斜視図である。
【００２８】
図６Ａに示すように、この化粧料塗布用器１Ｂにおいて、リブ２５は、塗布具２０の軸部２１の互いに反対側の表面に一対形成されている。また、保持部材３０は、軸部２１を囲むように取り付けられた扁平な環状部材からなり、リブ２５が、図６ＡのＸ−Ｘ図の９時３時方向で止まるように形成した凹部３１と図６ＡのＸ−Ｘ図の１２時６時方向で止まるように形成した凹部３２を有する。また、仕切り板１６の中央の穴１７には、リブ２５が９時３時の方向でのみ通過できるように切欠１８が設けられている。したがって、塗布具２０をキャップ１０に取り付けるには、塗布具２０のリブ２５を仕切り板１６の穴１７の切欠１８の９時３時方向に合わせて軸２１が止まるまで差込み、９０°回転させ、リブ２５を保持部材３０の１２時６時の方向の凹部３２で止めることによって固定する。また、塗布具２０を外すには、リブ２５を更に９０°回転させ、リブ２５を図６ＢのＸ−Ｘ図の保持部材３０の９時３時方向の凹部３１に合わせると共に、仕切板１６の９時３時の方向の切欠１８に合わせる。これにより、図６Ｃに示すように、塗布具２０がキャップ１０から取り外し可能となる。
【００２９】
この化粧料塗布用器１Ｂは次のように使用される。まず、この化粧料塗布用器１Ｂにおいても容器本体２内に十分な液状化粧料が収容されている状態では、塗布具２０をキャップ１０に取り付けた状態で使用する。使用に伴い、容器本体２内の液状化粧料が減少し、液状化粧料が容器本体２の底部隅部に残り、塗布部２３に液状化粧料を付着させることが困難となる。そこで、図６Ｃに示したように、軸部２１のリブ２５が、９時３時方向の切欠１８に合致して仕切り板１６から外れるように回転させ、塗布具２０をキャップ１０から取り外す。これにより、図７に示すように、塗布具２０の先端の塗布部２３を容器本体２の内部底面に到達させ、更には塗布部２３を屈曲させるに至り、容器本体２の底部に残存していた液状化粧料Ａの殆どを塗布部２３に付着させることが可能となる。したがって、この化粧料塗布用器１Ｂによっても、使い切れない化粧料残量を顕著に低減させることができる。
【００３０】
本発明において、塗布具２０の軸部２１をキャップ１０に着脱自在に固定する係合機構は、上述した構成に限られない。また、本発明において、塗布部２３としては、フロッキーな表面を有する匙状のものに限らず、例えば、図８に示す、リング状のものとしてもよく、ブラシ状のものとしてもよい（図示せず）。
【符号の説明】
【００３１】
１Ａ、１Ｂ    化粧料塗布容器
２    容器本体
３    しごき部
１０    キャップ
１１    キャップ筒状体
１２    軸部固定部材
１２ａ  軸部固定部材の嵌合部
１３    押圧部
１４    押圧ボタン
１５    板バネ状構造
１６    仕切板
１７    穴
１８    切欠
２０    塗布具
２１    軸部
２２    凹部
２３    塗布部
２４    大径部
２５    リブ
３０    軸部保持部材
３１    凹部
３２    凹部
Ａ    液状化粧料
【図１Ａ】
0005834915.tif 000002
【図１Ｂ】
0005834915.tif 000003
【図２Ａ】
0005834915.tif 000004
【図２Ｂ】
0005834915.tif 000005
【図２Ｃ】
0005834915.tif 000006
【図３】
0005834915.tif 000007
【図４】
0005834915.tif 000008
【図５Ａ】
0005834915.tif 000009
【図５Ｂ】
0005834915.tif 000010
【図６Ａ】
0005834915.tif 000011
【図６Ｂ】
0005834915.tif 000012
【図６Ｃ】
0005834915.tif 000013
【図７】
0005834915.tif 000014
【図８】
0005834915.tif 000015